(57)【特許請求の範囲】
【請求項１】
第１の通信方式の通信を行う第１の通信部と、
前記第１の通信方式とは異なる第２の通信方式の通信を行う第２の通信部と、
前記第１の通信方式の通信を行う第１の通信エリア内において、前記第２の通信方式の通信により、前記第１の通信エリア内で前記第１の通信方式の通信を許可するエリアを示す第１のエリア情報を取得する第１の取得部と、
前記第１の通信エリア内で前記第１の通信方式の通信を許可するエリアを示す音響信号である第２のエリア情報が到達する音響通信エリアにおいて、前記第２のエリア情報を取得する第２の取得部と、
前記第１のエリア情報及び前記第２のエリア情報を比較することで、現在位置が、前記第１のエリア情報で示されるエリア内となったか否かを判別する比較部と、
現在位置が、前記第１のエリア情報で示されるエリア内となったと判別された際に、前記第１の通信方式の通信回線を確立するためのセットアップ情報を用いて、前記第１の通信方式の通信回線を確立するためのセットアップ処理を行うセットアップ部と、
確立された前記第１の通信方式の通信回線を介して、前記音響通信エリア内に位置するデバイスと通信するための通信情報を取得する通信情報取得部と、
前記第１の通信部又は前記第２の通信部は、取得された前記通信情報を用いて、前記音響通信エリア内に位置するデバイスと通信回線を確立して通信を行うこと
を特徴とする通信装置。
【請求項２】
前記第１のエリア情報及び前記セットアップ情報は一括して送信され、
前記第１の取得部は、一括して送信される前記第１のエリア情報及び前記セットアップ情報を取得すること
を特徴とする請求項１に記載の通信装置。
【請求項３】
前記第１の取得部は、
前記第２のエリア情報で示されるエリアと一部又は全部が重複する前記第２の通信方式の通信を行うエリアにおいて、前記第１のエリア情報又は前記セットアップ情報を取得すること
を特徴とする請求項２に記載の通信装置。
【請求項４】
前記第２のエリア情報は、前記第１の通信エリア内に複数設けられた前記音響通信エリアにおいて、前記第１の通信方式の通信を許可する、それぞれ異なるエリアを示す音響信号であり、
前記第２の取得部は、移動先となる前記音響通信エリアで配信されている前記第２のエリア情報を取得すること
を特徴とする請求項１から請求項３のうち、いずれか一項に記載の通信装置。
【請求項５】
前記第１の通信方式の通信回線の確立後に、前記第２のエリア情報を取得できない時間が所定時間以上続いた際に、前記第１の通信方式の通信回線を切断処理する切断部、をさらに備えること
を特徴とする請求項１から請求項４のうち、いずれか一項に記載の通信装置。
【請求項６】
前記第１の通信方式の通信回線の確立後に、異なる前記第２のエリア情報の取得を示す比較結果が前記比較部から得られた際に、前記第１の通信方式の通信回線を切断処理する切断部、をさらに備えること
を特徴とする請求項１から請求項４のうち、いずれか一項に記載の通信装置。
【請求項７】
前記切断部は、複数の前記第２のエリア情報が受信可能となった場合に、先に受信した前記第２のエリア情報を所定時間内に受信できる場合は、確立されている前記第１の通信方式の通信回線を継続して維持し、先に受信した前記第２のエリア情報を所定時間内に受信できない場合は、確立されている前記第１の通信方式の通信回線を切断処理すること
を特徴とする請求項５又は請求項６に記載の通信装置。
【請求項８】
前記切断部は、複数の前記第２のエリア情報が受信可能となった場合に、複数の前記第２のエリア情報の音圧を比較し、先に受信した前記第２のエリア情報の音圧が、後から受信した前記第２のエリア情報の音圧よりも高い場合に、確立されている前記第１の通信方式の通信回線を継続して維持し、先に受信した前記第２のエリア情報の音圧が、後から受信した前記第２のエリア情報の音圧よりも低い場合に、確立されている第１の通信方式の通信回線を切断処理すること
を特徴とする請求項５から請求項７のうち、いずれか一項に記載の通信装置。
【請求項９】
前記第１のエリア情報及び前記第２のエリア情報は、所定時間又は任意のタイミングで変更されて送信され、
前記第１の取得部は、前記第１の通信方式の通信回線の確立後に変更された前記第１のエリア情報を、前記第１の通信方式の通信で取得し、
前記第２の取得部は、変更された前記第２のエリア情報を取得し、
前記比較部は、それぞれ変更された前記第１のエリア情報及び前記第２のエリア情報を比較することで、両者が同様か否かを判別し、
前記第１の通信部は、それぞれ変更された前記第１のエリア情報及び前記第２のエリア情報が同様であることを示す比較結果が得られた場合に、確立されている第１の通信方式の通信回線を維持し、
前記切断部は、それぞれ変更された前記第１のエリア情報及び前記第２のエリア情報が同様でないことを示す比較結果が得られた場合に、確立されている第１の通信方式の通信回線を切断処理すること
を特徴とする請求項５から請求項８のうち、いずれか一項に記載の通信装置。
【請求項１０】
前記音響通信エリア内で前記第１の通信方式及び前記第２の通信方式による通信が可能な各デバイスとの間で、前記第１の通信方式又は前記第２の通信方式の通信を可能とする通信情報が記憶された通信情報記憶部とを、さらに備え、
前記第１の通信部又は前記第２の通信部は、前記通信情報記憶部の通信情報に基づいて、前記音響通信エリア内の前記各デバイスとの間で、前記第１の通信方式又は前記第２の通信方式の通信を行うこと
を特徴とする請求項１から請求項９のうち、いずれか一項に記載の通信装置。
【請求項１１】
前記第１のエリア情報及び前記第２のエリア情報を比較して、両者が同じエリアを示す比較結果が得られた場合に、前記第２の通信方式の通信を行う通信機器に対して、前記第１のエリア情報を返信する返信部を、さらに備え、
前記セットアップ部は、前記通信機器において、前記通信機器から送信している前記第１のエリア情報と、前記返信部から返信された前記第１のエリア情報とが比較され、両者が同様のエリア情報であることを示す比較結果が得られた場合に、前記通信機器から送信される前記セットアップ情報を用いて、前記第１の通信方式の通信回線を確立するためのセットアップ処理を行うこと
を特徴とする請求項１から請求項１０のうち、いずれか一項に記載の通信装置。
【請求項１２】
第１の取得部が、第１の通信部による第１の通信方式の通信を行う第１の通信エリア内において、前記第１の通信方式とは異なる第２の通信部による第２の通信方式の通信により、前記第１の通信エリア内で前記第１の通信方式の通信を許可するエリアを示す第１のエリア情報を取得する第１の取得ステップと、
第２の取得部が、前記第１の通信エリア内で前記第１の通信方式の通信を許可するエリアを示す音響信号である第２のエリア情報が到達する音響通信エリアにおいて、前記第２のエリア情報を取得する第２の取得ステップと、
比較部が、前記第１のエリア情報及び前記第２のエリア情報を比較することで、現在位置が、前記第１のエリア情報で示されるエリア内となったか否かを判別する比較ステップと、
セットアップ部が、現在位置が、前記第１のエリア情報で示されるエリア内となったと判別された際に、前記第１の通信方式の通信回線を確立するためのセットアップ情報を用いて、前記第１の通信方式の通信回線を確立するためのセットアップ処理を行うセットアップステップと、
通信情報取得部が、確立された前記第１の通信方式の通信回線を介して、前記音響通信エリア内に位置するデバイスと通信するための通信情報を取得する通信情報取得ステップと、を含み、
前記第１の通信部又は前記第２の通信部は、取得された前記通信情報を用いて、前記音響通信エリア内に位置するデバイスと通信回線を確立して通信を行うこと
を特徴とする通信方法。
【請求項１３】
第１の通信方式で通信を行う第１の通信エリアを形成する第１の通信エリア形成装置と、
前記第１の通信方式とは異なる第２の通信方式で通信を行う第２の通信エリアを形成し、前記第２の通信エリア内において、前記第１の通信エリア内で前記第１の通信方式の通信を許可するエリアを示す第１のエリア情報、及び、前記第１の通信方式の通信回線を確立するためのセットアップ情報を配信する第２の通信エリア形成装置と、
前記第１の通信エリア内で前記第１の通信方式の通信を許可するエリアを示す音響信号である第２のエリア情報を配信する音響配信部と、
前記第１の通信方式の通信を行う第１の通信部、及び、前記第１の通信方式とは異なる第２の通信方式の通信を行う第２の通信部とを備えた通信装置と、を有し、
前記通信装置は、
前記第１の通信方式の通信を行う第１の通信エリア内において、前記第２の通信方式の通信により、前記第１の通信エリア内で前記第１の通信方式の通信を許可するエリアを示す第１のエリア情報を取得する第１の取得部と、
前記第２のエリア情報が到達する音響通信エリア内において、前記第２のエリア情報を取得する第２の取得部と、
前記第１のエリア情報及び前記第２のエリア情報を比較することで、現在位置が、前記第１のエリア情報で示されるエリア内となったか否かを判別する比較部と、
現在位置が、前記第１のエリア情報で示されるエリア内となったと判別された際に、前記第１の通信方式の通信回線を確立するためのセットアップ情報を用いて、前記第１の通信方式の通信回線を確立するためのセットアップ処理を行うセットアップ部と、
確立された前記第１の通信方式の通信回線を介して、前記音響通信エリア内に位置するデバイスと通信するための通信情報を取得する通信情報取得部と、を備え、
前記第１の通信部又は前記第２の通信部は、取得された前記通信情報を用いて、前記音響通信エリア内に位置するデバイスと通信回線を確立して通信を行うこと
を特徴とするシステム。
【請求項１４】
コンピュータを、
第１の通信方式の通信を行うように第１の通信部を通信制御する第１の通信制御部と、
前記第１の通信方式とは異なる第２の通信方式の通信を行うように第２の通信部を通信制御する第２の通信制御部と、
前記第１の通信方式の通信を行う第１の通信エリア内において、前記第２の通信方式の通信により、前記第１の通信エリア内で前記第１の通信方式の通信を許可するエリアを示す第１のエリア情報を取得する第１の取得部と、
前記第１の通信エリア内で前記第１の通信方式の通信を許可するエリアを示す音響信号である第２のエリア情報が到達する音響通信エリアにおいて、前記第２のエリア情報を取得する第２の取得部と、
前記第１のエリア情報及び前記第２のエリア情報を比較することで、現在位置が、前記第１のエリア情報で示されるエリア内となったか否かを判別する比較部と、
現在位置が、前記第１のエリア情報で示されるエリア内となったと判別された際に、前記第２の通信方式の通信により、前記第１の通信方式の通信回線を確立するためのセットアップ情報を用いて、前記第１の通信方式の通信回線を確立するためのセットアップ処理を行うセットアップ部と、
確立された前記第１の通信方式の通信回線を介して、前記音響通信エリア内に位置するデバイスと通信するための通信情報を取得する通信情報取得部として機能させ、
前記第１の通信部又は前記第２の通信部は、取得された前記通信情報を用いて、前記音響通信エリア内に位置するデバイスと通信回線を確立して通信を行うこと
を特徴とするプログラム。
【発明の詳細な説明】
【技術分野】
【０００１】
本発明は、通信装置、通信方法、システム、およびプログラムに関する。
【背景技術】
【０００２】
今日において、ネットワークのアクセスポイントを介して、遠隔のコンピュータと電磁波による無線通信を可能とする無線ＬＡＮが知られている。ＬＡＮは、「Local  Area  Network」の略記である。無線ＬＡＮは、利便性の高いネットワークであり、広く普及している。また、無線ＬＡＮよりも通信範囲の狭い、ブルートゥース（登録商標）等の近距離無線通信も広く普及している。
【０００３】
また、特許文献１（特開２０１２−０９５２７０号公報）には、無線通信に用いられる電波が届くエリアにおける通信可能な範囲を制限することを目的とした無線通信システムが開示されている。この無線通信システムは、無線通信路を確立するために用いられる設定情報を、音響信号から取得する。そして、無線通信が確立された後に、音響信号が取得されなくなった場合、無線通信回線を解除する。これにより、音響信号が届く範囲に、無線通信範囲を限定することができる。
【発明の概要】
【発明が解決しようとする課題】
【０００４】
ここで、特許文献１に開示されている無線通信システムの場合、無線通信を確立するための設定情報を受信できる範囲が、音響信号の到達範囲となっている。しかし、音響信号の場合、音漏れ及び反射等により、想定していない範囲まで音響信号が到達し、不特定のデバイスが設定情報を取得して無線接続するおそれがあるため、セキュリティ面で問題のあるシステムとなっていた。
【０００５】
本発明は、上述の課題に鑑みてなされたものであり、通信範囲を、意図した範囲に限定して、通信セキュリティを向上させることができるような通信装置、通信方法、システム、およびプログラムの提供を目的とする。
【課題を解決するための手段】
【０００６】
上述した課題を解決し、目的を達成するために、本発明は、第１の通信方式の通信を行う第１の通信部と、第１の通信方式とは異なる第２の通信方式の通信を行う第２の通信部と、第１の通信方式の通信を行う第１の通信エリア内において、第２の通信方式の通信により、第１の通信エリア内で第１の通信方式の通信を許可するエリアを示す第１のエリア情報を取得する第１の取得部と、第１の通信エリア内で第１の通信方式の通信を許可するエリアを示す音響信号である第２のエリア情報が到達する音響通信エリアにおいて、第２のエリア情報を取得する第２の取得部と、第１のエリア情報及び第２のエリア情報を比較することで、現在位置が、第１のエリア情報で示されるエリア内となったか否かを判別する比較部と、現在位置が、第１のエリア情報で示されるエリア内となったと判別された際に、第１の通信方式の通信回線を確立するためのセットアップ情報を用いて、第１の通信方式の通信回線を確立するためのセットアップ処理を行うセットアップ部とを有する。
【発明の効果】
【０００７】
本発明によれば、通信範囲を、意図した範囲に限定することができ、通信セキュリティを向上させることができるという効果を奏する。
【図面の簡単な説明】
【０００８】
【図１】図１は、無線ＬＡＮ通信システムの基本構成を示すシステム構成図である。
【図２】図２は、基本構成となる無線ＬＡＮ通信システムに設けられている通信範囲制限装置のハードウェア構成図である。
【図３】図３は、基本構成となる無線ＬＡＮ通信システムに設けられているスマートフォンのハードウェア構成図である。
【図４】図４は、基本構成となる無線ＬＡＮ通信システムに設けられているプリンタ装置のハードウェア構成図である。
【図５】図５は、基本構成となる無線ＬＡＮ通信システムに設けられているプロジェクタ装置のハードウェア構成図である。
【図６】図６は、基本構成となる無線ＬＡＮ通信システムに設けられている通信範囲制限装置の機能ブロック図である。
【図７】図７は、基本構成となる無線ＬＡＮ通信システムに設けられているスマートフォンの機能ブロック図である。
【図８】図８は、基本構成となる無線ＬＡＮ通信システムに設けられているプリンタ装置の機能ブロック図である。
【図９】図９は、基本構成となる無線ＬＡＮ通信システムにおいて、無線ＬＡＮ通信エリアのＢＬＥ通信エリア内に移動したスマートフォンが、無線ＬＡＮ通信回線を確立する流れを示すシーケンス図である。
【図１０】図１０は、基本構成となる無線ＬＡＮ通信システムにおいて、無線ＬＡＮ通信エリアのＢＬＥ通信エリア内に位置するプリンタ装置が、無線ＬＡＮ通信回線を確立する流れを示すシーケンス図である。
【図１１】図１１は、基本構成となる無線ＬＡＮ通信システムにおいて、無線ＬＡＮに接続されたスマートフォンからプリンタ装置を遠隔操作して印刷物を印刷する流れを示すフローチャートである。
【図１２】図１２は、基本構成となる無線ＬＡＮ通信システムにおいて、ＢＬＥ通信エリア内でプリンタ装置に無線ＬＡＮ接続されているスマートフォンが、ＢＬＥ通信エリア外に移動した際に、無線ＬＡＮ通信回線（及びＢＬＥ通信回線）が切断される流れを示すシーケンス図である。
【図１３】図１３は、基本構成となる無線ＬＡＮシステムにおいて、ＢＬＥ通信エリアの少なくとも一部が無線ＬＡＮ通信エリア外に位置する場合の一例を示すシステム構成図である。
【図１４】図１４は、実施の形態の無線ＬＡＮ通信システムのシステム構成図である。
【図１５】図１５は、音響信号送信装置のハードウェア構成図である。
【図１６】図１６は、スマートフォンの機能ブロック図である。
【図１７】図１７は、音響通信エリア内の各デバイスに配布される周辺機器リストの一例を示す図である。
【図１８】図１８は、デバイスに配布される周辺機器リストが、音響通信エリア毎に異なる様子を説明するための図である。
【図１９】図１９は、ＢＬＥ通信及び音響通信を用いた無線ＬＡＮのセットアップ動作を説明するためのシーケンス図である。
【図２０】図２０は、無線ＬＡＮ通信が許可されている音響通信エリア外にスマートフォンが移動することで、エリア情報が所定時間以上取得できなかった場合に、無線ＬＡＮ通信回線が切断される動作を説明するためのシーケンス図である。
【図２１】図２１は、音響信号送信装置からそれまで受信していたエリア情報が、異なる音響通信エリアを示すエリア情報となった場合に、スマートフォンが異なる音響通信エリアに移動したものとして、無線ＬＡＮ通信回線を切断処理する動作を説明するためのシーケンス図である。
【図２２】図２２は、ＢＬＥ通信エリアと音響信号送信装置により形成される音響通信エリアとが重なっていない場合のシステム構成を説明するための図である。
【図２３】図２３は、先に無線ＬＡＮ通信が許可される音響通信エリアを示すエリア情報を配布し、無線ＬＡＮ通信が許可される音響通信エリアにスマートフォンが位置していることが確認された際に無線ＬＡＮのセットアップ情報を配布する動作を説明するためのフローチャートである。
【図２４】図２４は、第２の実施の形態の無線ＬＡＮ通信システムの無線ＬＡＮ通信回線の切断処理の流れを示すシーケンス図である。
【図２５】図２５は、第３の実施の形態の無線ＬＡＮ通信システムの無線ＬＡＮ通信回線の切断処理の流れを示すシーケンス図である。
【図２６】図２６は、第５の実施の形態の無線ＬＡＮ通信システムの無線ＬＡＮ通信回線のセットアップ処理の流れを示すシーケンス図である。
【発明を実施するための形態】
【０００９】
以下、添付図面を参照して、本発明を適用した実施の形態となる無線ＬＡＮ（Local  Area  Network）通信システムを詳細に説明する。
【００１０】
（基本構成）
まず、以下に説明する実施の形態の無線ＬＡＮ通信システムの基本構成を説明する。図１は、無線ＬＡＮ通信システムの基本構成を示すシステム構成図である。図１に示すように、無線ＬＡＮ通信システムは、通信範囲制限装置１、第１のデバイスとしてスマートフォン２、第２のデバイスとしてプリンタ装置３、及び、第３のデバイスとしてプロジェクタ装置４を有している。なお、図１に示す各デバイスは一例であり、後述する通信機能を有するデバイスであれば、どのようなデバイスでもよい。例えばスマートフォン２の代わりに、タブレット端末装置、携帯ゲーム機、ノート型のパーソナルコンピュータ装置等の携帯可能な通信機器を用いてもよい。
【００１１】
（通信範囲制限装置の基本構成）
通信範囲制限装置１は、例えば無線ＬＡＮルータ等の、無線ＬＡＮのアクセスポイントを形成する機器となっている。通信範囲制限装置１は、ローカルエリアネットワークの一例として、図１中、実線の楕円で示す無線ＬＡＮ通信エリア５を形成する。また、通信範囲制限装置１は、無線ＬＡＮ通信エリア５内における、無線ＬＡＮ通信エリア５よりも狭いエリア内においてのみ、各デバイスの通信を可能とする。例えば、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００１２】
一例として、パーソナルエリアネットワークとしては、極低電力でＢＬＥ（Bluetooth（登録商標）  Low  Energy）通信を行うブルートゥース（登録商標）ＰＡＮを用いることができる。図１中、点線の楕円に示す通信範囲が、ブルートゥース（登録商標）ＰＡＮによるＢＬＥ通信エリア６である。なお、パーソナルエリアネットワークはブルートゥースＰＡＮであることとして説明を進める。しかし、ブルートゥースの代わりに、例えば非接触無線（NFC：Near  Field  Communications）、ミリ波無線通信、ＱＲコード（登録商標）、可視光、環境音、又は超音波を用いてもよい。
【００１３】
（通信範囲制限装置の基本的なハードウェア構成）
図２に、通信範囲制限装置１の基本的なハードウェア構成を示す。この図２に示すように、通信範囲制限装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、無線ＬＡＮＡＰ部１６（ＡＰはアクセスポイントの意である）、及び、ＢＬＥ通信部１７を有している。ＣＰＵ１１〜ＢＬＥ通信部１７は、バスライン１８を介して相互に接続されている。
【００１４】
ＲＯＭ１２には、無線ＬＡＮ通信エリア５内のＢＬＥ通信エリア６でのみ、各デバイスの通信を可能とするための通信制御プログラムが記憶されている。通信制御プログラムは、ＲＡＭ１３又はＨＤＤ１４等の他の記憶部に記憶させてもよい。ＣＰＵ１１は、通信制御プログラムに従って動作することで、無線ＬＡＮＡＰ部１６及びＢＬＥ通信部１７を制御し、無線ＬＡＮ通信エリア５内のＢＬＥ通信エリア６においてのみ、各デバイスの通信を可能とする制御を行う。
【００１５】
図１及び図２においては、通信範囲制限装置１は、機器単体として図示されている。しかし、通信範囲制限装置１は、各デバイスの内部に組み込まれていてもよい。例えばプリンタ装置、または、複合機（ＭＦＰ）等の機器内に組み込まれていてもよい。
【００１６】
（スマートフォンの基本的なハードウェア構成）
図３に、スマートフォン２の基本的なハードウェア構成を示す。この図３に示すように、スマートフォン２は、ＣＰＵ２１、ＲＯＭ２２、ＲＡＭ２３、表示部２４、マイクロホン部２５、スピーカ部２６を有している。また、スマートフォン２は、入出力Ｉ／Ｆ２８、無線通信部２９、カメラ部３０、無線ＬＡＮ通信部３１、及び、ＢＬＥ通信部３２を有している。ＣＰＵ２１〜ＢＬＥ通信部３２は、バスライン３３を介して相互に接続されている。無線ＬＡＮ通信部３１は、第１の通信部の一例である。ＢＬＥ通信部３２は、第２の通信部の一例である。
【００１７】
ＲＯＭ２２には、無線ＬＡＮ通信エリア５内のＢＬＥ通信エリア６でのみ、各デバイスの通信を可能とするための通信制御プログラムが記憶されている。通信制御プログラムは、ＲＡＭ２３等の他の記憶部に記憶させてもよい。ＣＰＵ２１は、通信制御プログラムに従って動作することで、無線ＬＡＮ通信部３１及びＢＬＥ通信部３２を制御する。これにより、無線ＬＡＮ通信エリア５内のＢＬＥ通信エリア６におけるＢＬＥ通信を可能とする。
【００１８】
表示部２４は、透明電極で形成されたタッチパネルと、表示パネルとを一体的に形成した、いわゆるタッチパネル付表示部となっている。無線通信部２９は、所定のキャリアの無線基地局を介して、電話及びメール等の通信を行う。
【００１９】
（プリンタ装置の基本的なハードウェア構成）
図４に、プリンタ装置３の基本的なハードウェア構成を示す。この図４に示すように、プリンタ装置３は、ＣＰＵ４１、ＲＯＭ４２、ＲＡＭ４３、操作パネル４４、プリンタ機構４５を有している。また、プリンタ装置３は、ＨＤＤ４６、無線ＬＡＮ通信部４７、ＢＬＥ通信部４８、有線通信部４９及び入出力Ｉ／Ｆ５０を有している。ＣＰＵ４１〜入出力Ｉ／Ｆ５０は、バスライン５１を介して相互に接続されている。
【００２０】
ＲＯＭ４２には、無線ＬＡＮ通信エリア５内のＢＬＥ通信エリア６でのみ、各デバイスの通信を可能とするための通信制御プログラムが記憶されている。通信制御プログラムは、ＲＡＭ４３又はＨＤＤ４６等の他の記憶部に記憶させてもよい。ＣＰＵ４１は、通信制御プログラムに従って動作することで、無線ＬＡＮ通信部４７及びＢＬＥ通信部４８を制御する。これにより、無線ＬＡＮ通信エリア５内のＢＬＥ通信エリア６におけるＢＬＥ通信を可能とする。また、プリンタ機構４５は、スマートフォン２から指定された印刷設定で画像及びテキスト等の印刷を行う。
【００２１】
（プロジェクタ装置の基本的なハードウェア構成）
図５に、プロジェクタ装置４の基本的なハードウェア構成を示す。この図５に示すように、プロジェクタ装置４は、入力インタフェース部（入力ＩＦ部）６１、画像処理部６２、照明光学系６３、ＲＡＭ６４及び操作部６５を有している。また、プロジェクタ装置４は、リモートコントローラ７０から赤外線送信されるコマンドを受信する受信部６６、無線ＬＡＮ通信部６７、ＢＬＥ通信部６８、及び、ＣＰＵ６９を有している。
【００２２】
このようなプロジェクタ装置４は、投影される画像に対応する画像情報が、入力ＩＦ部６１に供給される。画像情報は、画像処理部６２により、歪み補正等の所定の画像処理が施された後、照明光学系６３によりスクリーン等に投影される。
【００２３】
ＲＡＭ６４には、無線ＬＡＮ通信エリア５内のＢＬＥ通信エリア６でのみ、各デバイスの通信を可能とするための通信制御プログラムが記憶されている。通信制御プログラムは、ＲＯＭ又はＨＤＤ等の他の記憶部に記憶させてもよい。ＣＰＵ６９は、通信制御プログラムに従って動作することで、無線ＬＡＮ通信部６７及びＢＬＥ通信部６８を制御する。これにより、無線ＬＡＮ通信エリア５内のＢＬＥ通信エリア６におけるＢＬＥ通信を可能とする。
【００２４】
（通信範囲制限装置の基本的なソフトウェア構成）
次に、図６は、通信範囲制限装置１のＣＰＵ１１が通信制御プログラムに従って動作することで実現される各機能の機能ブロックである。この図６に示すように、通信範囲制限装置１のＣＰＵ１１は、通信制御プログラムを実行することで、デバイス接続部７５、周辺機器接続部７６、離脱検知部７７、無線ＬＡＮＡＰ制御部７８及びＢＬＥ通信制御部７９として機能する。
【００２５】
なお、この例では、デバイス接続部７５〜ＢＬＥ通信制御部７９は、通信制御プログラムにより、ソフトウェア的に実現されることとして説明を進める。しかし、デバイス接続部７５〜ＢＬＥ通信制御部７９のうち、一部又は全部をＩＣ（Integrated  Circuit）等のハードウェアで実現してもよい。
【００２６】
また、通信範囲制限装置１の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、通信範囲制限装置１の通信制御プログラムは、インターネット等のネットワーク経由でインストールするかたちで提供してもよい。また、通信範囲制限装置１の通信制御プログラムは、機器内のＲＯＭ等に予め組み込んで提供してもよい。
【００２７】
（スマートフォンの基本的なソフトウェア構成）
次に、図７は、スマートフォン２のＣＰＵ２１が通信制御プログラムに従って動作することで実現される各機能の機能ブロックである。この図７に示すように、スマートフォン２のＣＰＵ２１は、通信制御プログラムに従って動作することで、印刷依頼部８１、無線ＬＡＮ通信制御部８２（第１の通信制御部の一例）、ＢＬＥ通信制御部８３（第２の通信制御部の一例）としての機能を実現させる。印刷依頼部８１は、ＢＬＥ通信によりプリンタ装置３を遠隔操作して、所望の画像及び文字等を印刷させる機能である。
【００２８】
なお、この例では、印刷依頼部８１〜ＢＬＥ通信制御部８３は、通信制御プログラムにより、ソフトウェア的に実現されることとして説明を進める。しかし、印刷依頼部８１〜ＢＬＥ通信制御部８３のうち、一部又は全部をＩＣ（Integrated  Circuit）で実現してもよいし、一部または全部をハードウェアで実現してもよい。
【００２９】
また、スマートフォン２の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、スマートフォン２の通信制御プログラムは、インターネット等のネットワーク経由でインストールするかたちで提供してもよい。また、スマートフォン２の通信プログラムは、機器内のＲＯＭ等に予め組み込んで提供してもよい。
【００３０】
（プリンタ装置の基本的なソフトウェア構成）
次に、図８は、プリンタ装置３のＣＰＵ４１が通信制御プログラムに従って動作することで実現される各機能の機能ブロックである。この図８に示すように、プリンタ装置３のＣＰＵ４１は、通信制御プログラムに従って動作することで、印刷部８５、無線ＬＡＮ通信制御部８６及びＢＬＥ通信制御部８７としての機能を実現させる。印刷部８５は、スマートフォン２から依頼された画像及び文字等を用紙に印刷するように、プリンタ機構４５を制御する機能である。
【００３１】
なお、この例では、印刷部８５〜ＢＬＥ通信制御部８７は、ソフトウェア的に実現されることとして説明を進める。しかし、印刷部８５〜ＢＬＥ通信制御部８７のうち、一部又は全部をＩＣ（Integrated  Circuit）で実現してもよいし、一部又は全部をハードウェアで実現してもよい。
【００３２】
また、プリンタ装置３の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリなどのコンピュータ装置で読み取り可能な記録媒体に記録して提供してもよい。また、プリンタ装置３の通信制御プログラムは、インターネット等のネットワーク経由でインストールするかたちで提供してもよい。また、プリンタ装置３の通信制御プログラムは、機器内のＲＯＭ等に予め組み込んで提供してもよい。
【００３３】
（無線ＬＡＮ通信システムの基本動作の概要）
このような無線ＬＡＮ通信システムにおいて、図１に実線で示す外側の楕円が、通信範囲制限装置１の無線ＬＡＮＡＰ部１６で形成される無線ＬＡＮの通信可能範囲（無線ＬＡＮ通信エリア５）を示している。この無線ＬＡＮ通信エリア５内に、スマートフォン２、プリンタ装置３及びプロジェクタ装置４が位置している。
【００３４】
スマートフォン２は、無線ＬＡＮ通信機能が設けられたプリンタ装置３及びプロジェクタ装置４等の周辺機器と通信し、無線ＬＡＮを介して所望の画像、文字等の印刷、又は、画像の投影等の遠隔操作が可能となっている。
【００３５】
また、プリンタ装置３及びプロジェクタ装置４等の周辺機器は、無線ＬＡＮ通信部４７，６７と共に、ＢＬＥ通信部４８，６８を有している。これにより、通信範囲制限装置１のＢＬＥ通信部１７との間で、ＢＬＥ通信が可能となっている。ただし、図１に、点線の楕円で示すように、ＢＬＥ通信エリア６は、無線ＬＡＮ通信エリア５よりも狭くなっている。このため、ＢＬＥ通信エリア６内に位置するスマートフォン２及びプリンタ装置３と、通信範囲制限装置１との間でＢＬＥ通信を行うことは可能である。しかし、ＢＬＥ通信エリア６外に位置するプロジェクタ装置４と、通信範囲制限装置１との間でＢＬＥ通信を行うことは不可となっている。
【００３６】
すなわち、無線ＬＡＮ通信システムは、後述するように、ＢＬＥ通信を用いて無線ＬＡＮ設定を行う。このため、実際に無線ＬＡＮで通信できるのは、ＢＬＥ通信が可能なスマートフォン２及びプリンタ装置３だけであり、ＢＬＥ通信が不可なプロジェクタ装置４は、無線ＬＡＮ通信エリア５内であっても、無線ＬＡＮ設定を行うことができず、無線ＬＡＮ通信は不可となっている。
【００３７】
（スマートフォンに対する基本的な接続動作）
図９は、無線ＬＡＮ通信エリア５のＢＬＥ通信エリア６内に移動したスマートフォン２が、無線ＬＡＮ通信回線を確立する流れを示すシーケンス図である。通信範囲制限装置１のデバイス接続部７５は、ＢＬＥ通信制御部７９からＢＬＥ通信部１７を介して、例えば３つのアドバタイズメントチャネルのアドバタイズメントパケットを送信することで、周辺機器に対して自機（自装置）の存在を知らせている。アドバタイズメントパケットには、ＢＬＥ通信エリア６を示す通信範囲情報が含まれている。ステップＳ１は、ＢＬＥ通信エリア６を示す通信範囲情報を含むアドバタイズメントパケットの送信を示している。
【００３８】
ＢＬＥ通信エリア６内に、スマートフォン２が位置すると、スマートフォン２のＢＬＥ通信部３２で、通信範囲制限装置１から送信されているアドバタイズメントパケット（通信範囲情報）が受信される。スマートフォン２は、受信した通信範囲情報を参照することで、スマートフォン２自身がＢＬＥ通信エリア６内に位置しているか否かを判別する。そして、この判別結果を、ステップＳ２に示す応答として、ＢＬＥ通信により通信範囲制限装置１に送信する。スマートフォン２が、ＢＬＥ通信エリア６内に位置している場合、スマートフォン２のＢＬＥ通信部３２及び通信範囲制限装置１のＢＬＥ通信部１７は、ステップＳ３において、ＢＬＥ通信のペアリング処理（ＢＬＥペアリング）を行う。これにより、スマートフォン２と通信範囲制限装置１との間でＢＬＥ通信が可能となる。
【００３９】
次に、ＢＬＥペアリングが完了すると、通信範囲制限装置１のデバイス接続部７５は、ステップＳ４において、Ｗｉ−Ｆｉアライアンスで規格化された無線ＬＡＮ接続を容易化するＷＰＳ方式のＰＩＮコード（固有識別情報）を、ＢＬＥ通信により、スマートフォン２に送信する。また、通信範囲制限装置１のデバイス接続部７５は、ステップＳ６において、無線ＬＡＮＡＰ部１６に対して、スマートフォン２に送信したＰＩＮコードを転送し、ＷＰＳ方式の通信開始準備指示を行う。通信範囲制限装置１の無線ＬＡＮＡＰ部１６は、ステップＳ８において、スマートフォン２に送信したＰＩＮコードを用いてＷＰＳ方式のセットアップを行う。
【００４０】
一方、通信範囲制限装置１からＷＰＳ方式のＰＩＮコードを受信したスマートフォン２のＢＬＥ通信部３２は、ステップＳ５において、受信したＰＩＮコードを無線ＬＡＮ通信部３１に転送し、ＷＰＳ方式の通信開始準備指示を行う。無線ＬＡＮ通信部３１は、ステップＳ７において、通信範囲制限装置１から転送されたＰＩＮコードを用いてＷＰＳ方式のセットアップを行う。これにより、ステップＳ９において、スマートフォン２及び通信範囲制限装置１が、ＰＩＮコードを用いたＷＰＳ方式によりＷｉ−Ｆｉ接続（無線ＬＡＮ接続）される。
【００４１】
このように、無線ＬＡＮ通信システムは、スマートフォン２が通信範囲制限装置１のＢＬＥ通信エリア６内に位置した際、自動的にＷｉ−Ｆｉ接続（無線ＬＡＮ接続）が完了する。このため、ユーザの無線ＬＡＮに対する設定知識及び面倒なＰＩＮコードの入力操作等を不要とすることができる。また、ＢＬＥ通信においては、暗号化された情報が各機器間で送受信されるため、安全性を確保したうえでＰＩＮコードの送受信を行うことができる。
【００４２】
次に、スマートフォン２のＢＬＥ通信制御部８３及び通信範囲制限装置１のＢＬＥ通信制御部７９は、新たなデバイスの接続を可能とするために、ステップＳ１０において、一旦、ＢＬＥ通信を切断する。その後、通信範囲制限装置１のデバイス接続部７５は、ステップＳ１１において、ステップＳ１で説明したように、ＢＬＥ通信エリア６を示す通信範囲情報を含むアドバタイズメントパケットを送信する。そして、通信範囲制限装置１のデバイス接続部７５は、上述のようにＢＬＥ通信により、ＢＬＥ通信エリア６に位置しているスマートフォン２等のデバイスと、無線ＬＡＮ通信回線の確立を図る。
【００４３】
（プリンタ装置に対する基本的な接続動作）
次に、図１０は、無線ＬＡＮ通信エリア５のＢＬＥ通信エリア６内に位置するプリンタ装置３が、無線ＬＡＮ通信回線を確立する流れを示すシーケンス図である。周辺機器となるプリンタ装置３は、印刷を依頼するスマートフォン２等のデバイスから印刷の依頼を受けることで、有効に機能するデバイスである。このため、プリンタ装置３との間で無線ＬＡＮ通信を確立する場合、プリンタ装置３を制御するスマートフォン２等が、予め無線ＬＡＮに接続済みであることが好ましい。図１０のシーケンス図は、スマートフォン２が、無線ＬＡＮに接続済みであることを前提としている（図９の説明を参照）。そして、図１０のシーケンス図は、図９のステップＳ１０において、スマートフォン２と通信範囲制限装置１との間のＢＬＥ通信が一旦切断され、アドバタイズメントパケットの送信が可能となることで、ステップＳ２１からの処理が開始される。
【００４４】
プリンタ装置３は、据え置き型の機器であり、通信範囲制限装置１のＢＬＥ通信エリア６内に設けられている。プリンタ装置３は、ステップＳ２１において、上述の３つのアドバタイズメントチャネルを介して、スマートフォン２等の印刷の依頼を行うデバイスが、無線ＬＡＮに接続されたか否かを問うための接続問い合わせ情報を含むアドバタイズメントパケットを、ＢＬＥ通信部４８を介して通信範囲制限装置１に定期的に送信する。図６に示した通信範囲制限装置１の周辺機器接続部７６は、ステップＳ２２において、印刷の依頼を行うデバイスの接続の有無を示す応答を、ＢＬＥ通信部１７を介してプリンタ装置３に送信する。
【００４５】
スマートフォン２等、印刷の依頼を行うデバイスが、無線ＬＡＮに接続された場合、通信範囲制限装置１の周辺機器接続部７６及びプリンタ装置３のＢＬＥ通信部４８は、ステップＳ２３において、ＢＬＥ通信のペアリング処理（ＢＬＥペアリング）を行う。これにより、プリンタ装置３と通信範囲制限装置１との間でＢＬＥ通信が可能となる。
【００４６】
次に、ＢＬＥペアリングが完了すると、通信範囲制限装置１の周辺機器接続部７６は、ステップＳ２４において、Ｗｉ−Ｆｉアライアンスで規格化された無線ＬＡＮ接続を容易化するＷＰＳ方式のＰＩＮコードをプリンタ装置３に送信する。また、通信範囲制限装置１は、ステップＳ２６において、プリンタ装置３に送信したＰＩＮコードを無線ＬＡＮＡＰ部１６に転送し、ＷＰＳ方式の通信開始準備指示を行う。通信範囲制限装置１の無線ＬＡＮＡＰ部１６は、ステップＳ２８において、プリンタ装置３に送信したＰＩＮコードを用いてＷＰＳ方式のセットアップを行う。
【００４７】
一方、通信範囲制限装置１からＷＰＳ方式のＰＩＮコードを受信したプリンタ装置３のＢＬＥ通信部４８は、ステップＳ２５において、受信したＰＩＮコードを無線ＬＡＮ通信部４７に転送し、ＷＰＳ方式の通信開始準備指示を行う。無線ＬＡＮ通信部４７は、ステップＳ２７において、ＢＬＥ通信部４８から転送されたＰＩＮコードを用いてＷＰＳ方式のセットアップを行う。これにより、ステップＳ２９において、プリンタ装置３及び通信範囲制限装置１が、ＰＩＮコードを用いたＷＰＳ方式によりＷｉ−Ｆｉ接続（無線ＬＡＮ接続）される。
【００４８】
次に、プリンタ装置３のＢＬＥ通信部４８及び通信範囲制限装置１のＢＬＥ通信部１７は、新たなデバイスの接続を可能とするために、ステップＳ３０において、一旦、ＢＬＥ通信を切断する。その後、プリンタ装置３のＢＬＥ通信部４８は、ステップＳ３１において、ステップＳ２１で説明したように、接続問い合わせ情報を含むアドバタイズメントパケットを送信する。そして、通信範囲制限装置１は、印刷を依頼するデバイスが無線ＬＡＮに接続された際に、上述のようにＢＬＥ通信により、ＢＬＥ通信エリア６に位置しているプリンタ装置３と、無線ＬＡＮ通信回線の確立を図る。
【００４９】
（印刷動作）
次に、図１１のフローチャートに、無線ＬＡＮに接続されたスマートフォン２からプリンタ装置３を遠隔操作して印刷物を印刷する流れを示す。上述のように無線ＬＡＮ内において、スマートフォン２及びプリンタ装置３が無線ＬＡＮ通信部３１，４７を介して相互に接続されると、スマートフォン２でプリンタ装置３を遠隔操作することが可能となる。
【００５０】
スマートフォン２でプリンタ装置３を遠隔操作する場合、ユーザは、スマートフォン２のＲＯＭ２２等の記憶部に記憶されている印刷アプリケーションプログラムを起動操作する。印刷アプリケーションプログラムが起動操作されると、図７に示すスマートフォン２の印刷依頼部８１は、ステップＳ４１において、無線ＬＡＮ通信制御部８２及び無線ＬＡＮ通信部３１を介してプリンタ装置３に印刷要求を行う。図８に示すプリンタ装置３の印刷部８５は、印刷要求を受信すると、ステップＳ４２において、無線ＬＡＮ通信部４７を介して、スマートフォン２に対し、印刷に用いるデバイスの問い合わせを行う。ユーザは、スマートフォン２に記憶されているデータを印刷する場合は、印刷に用いるデバイスはスマートフォン２であることを、無線ＬＡＮ通信により、プリンタ装置３に通知する。または、ユーザは、プロジェクタ装置４で投影している画像等を印刷する場合は、印刷に用いるデバイスはプロジェクタ装置４であることを、無線ＬＡＮ通信により、プリンタ装置３に通知する。
【００５１】
次に、ステップＳ４３では、プリンタ装置３の印刷部８５が、無線ＬＡＮ通信により、スマートフォン２に対して、印刷するデータの問い合わせを行う。ユーザは、スマートフォン２に記憶されている画像又はテキスト等のデータを印刷する場合、印刷するデータは、スマートフォン２に記憶されているデータであることを、無線ＬＡＮ通信により、プリンタ装置３に通知する。または、ユーザは、プロジェクタ装置４で投影している画像等が印刷するデータである場合は、印刷するデータはプロジェクタ装置４で投影されているデータであることを、無線ＬＡＮ通信により、プリンタ装置３に通知する。最後に、プリンタ装置３の印刷部８５は、ステップＳ４４において、無線ＬＡＮ通信により、ユーザに指定されたデバイス（スマートフォン２又はプロジェクタ装置４）から、ユーザに指定されたデータを取得して印刷を実行する。
【００５２】
（デバイスの切断動作）
次に、図１２は、ＢＬＥ通信エリア６内でプリンタ装置３に無線ＬＡＮ接続されているスマートフォン２が、ＢＬＥ通信エリア６外に移動した際に、無線ＬＡＮ通信回線（及びＢＬＥ通信回線）が切断される流れを示すシーケンス図である。ステップＳ５１では、上述のようにＢＬＥ通信エリア６に対応する通信範囲を示す通信範囲情報が、通信範囲制限装置１のＢＬＥ通信部１７からスマートフォン２にＢＬＥ通信により送信される。スマートフォン２は、ＧＰＳ（Global  Positioning  System）等により自機で検出した自機位置と、通信範囲情報で示されるＢＬＥ通信エリア６とを比較する。そして、スマートフォン２は、自機位置がＢＬＥ通信エリア６外となったことを検出した際に、ステップＳ５２において、無線ＬＡＮ通信部３１に対して無線ＬＡＮの切断指示（Ｗｉ−Ｆｉ切断指示）を行う。
【００５３】
なお、この例では、通信範囲制限装置１側からスマートフォン２に対して通信範囲情報を送信し、スマートフォン２が、自機の現在位置と通信範囲情報で示されるＢＬＥ通信エリア６とを比較して、ＢＬＥ通信エリア６に対する離脱の有無を検出することとした。しかし、スマートフォン２がＧＰＳ等で検出した自機の現在位置を通信範囲制限装置１にＢＬＥ通信で送信し、通信範囲制限装置１が、スマートフォン２の現在位置とＢＬＥ通信エリア６とを比較して、ＢＬＥ通信エリア６に対するスマートフォン２等のデバイスの離脱の有無を検出してもよい。この場合、図６に示す離脱検知部７７が、ＢＬＥ通信エリア６に対するスマートフォン２等のデバイスの離脱の有無を検知することとなる。
【００５４】
スマートフォン２の無線ＬＡＮ通信部３１は、ＢＬＥ通信部３２から無線ＬＡＮの切断が指示されると、ステップＳ５３において、無線ＬＡＮ通信を用いて、通信範囲制限装置１に対して無線ＬＡＮの切断要求を行う。通信範囲制限装置１は、無線ＬＡＮの切断要求を受信すると、ステップＳ５４に示すように、無線ＬＡＮの切断要求を行ったデバイスに関連する無線ＬＡＮ通信回線を切断する。これにより、スマートフォン２のみならず、プリンタ装置３の無線ＬＡＮ通信回線も切断される。
【００５５】
なお、無線ＬＡＮ通信回線の切断後に、再度、無線ＬＡＮ通信回線を確立する場合、通信範囲制限装置１は、ＰＩＮコードを新たなものに更新する。このため、ＢＬＥ通信エリア６外に移動したスマートフォン２が、再度、ＢＬＥ通信エリア６内に移動した際には、前回とは異なるＰＩＮコードを用いて無線ＬＡＮ通信回線が確立されることとなる。
【００５６】
このように、無線ＬＡＮ通信システムは、スマートフォン２がＢＬＥ通信エリア６外に移動した際に、自動的に無線ＬＡＮ通信回線及びＢＬＥ通信回線を切断することができる。このため、スマートフォン２が無線ＬＡＮに接続可能な範囲を、一定の範囲内（ＢＬＥ通信エリア６内）に限定することができる。また、ＢＬＥ通信エリア６外に移動したスマートフォン２のみならず、スマートフォン２と通信を行っていたプリンタ装置３の無線ＬＡＮ通信回線も切断する。このため、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。すなわち、例えば社内ＬＡＮ等の構内網への接続許可を持たないユーザに対しても、構内網の安全性を確保したうえで、ユーザのデバイスを、一時的かつ簡単に、構内網に通信接続させて使用させることができる。
【００５７】
また、無線ＬＡＮ通信回線の切断後に、再度、無線ＬＡＮ通信回線を確立する際には、ＰＩＮコードを新たなものに更新する。このため、ＢＬＥ通信エリア６外に移動したスマートフォン２が、前回の接続時に用いていたＰＩＮコードを再利用して、他のデバイスの無線ＬＡＮ通信の傍受を図る不正行為を防止できる。
【００５８】
また、ＢＬＥ通信エリア６外にスマートフォン２が移動した際には、スマートフォン２のみならず、スマートフォン２と通信を行っていたプリンタ装置３の無線ＬＡＮ通信回線も切断する。これにより、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。
【００５９】
なお、無線ＬＡＮ通信回線の確立時に、ＢＬＥ通信により、通信範囲制限装置１からスマートフォン２等のデバイスに配信するＷＰＳ方式のＰＩＮコードの代わりに、公開鍵を配信してもよい。ＷＰＳ方式のＰＩＮコードの代わりに、例えばディフィーヘルマン鍵交換法（Diffie-Hellman  key  exchange  method）による公開鍵を配信して、無線ＬＡＮ通信回線を確立してもよい。この場合、ＢＬＥ通信エリア６内で公開鍵の送受信が行われるため、無線ＬＡＮの管理者の目が届く範囲内で公開鍵の送受信が行われる。このため、公開鍵を送信するデバイス、及び、公開鍵を受信するデバイス及びユーザ等が明確である。従って、不正ユーザ及び不正デバイス等の、いわゆる成りすましによる不正な通信を防止できる。また、一旦確立された無線ＬＡＮ通信回線が切断され、再度、無線ＬＡＮ通信回線が確立される際には、上述のＰＩＮコードの場合と同様に、前回とは異なる新たな公開鍵を用いることが好ましいであろう。
【００６０】
また、音声（空間を伝搬する音響出力）で、通信範囲制限装置１からスマートフォン２又はプリンタ装置３等のデバイスに対して、ＰＩＮコード又は公開鍵を伝達してもよい。この場合、音響出力は、ＢＬＥ通信で用いられる電波よりも空間の伝達性が悪いため、各デバイス間で音声の送受が可能な範囲に、ＰＩＮコード等の送受信範囲を制限できる。このため、システム管理者等の目の届く狭い範囲でＰＩＮコード等の送受信が行われる。従って、上述の不正ユーザ及び不正デバイス等の、いわゆる成りすましによる不正な通信を、さらに強力に防止できる。
【００６１】
また、通信範囲情報の代わりに、ＢＬＥ通信部１７の受信信号強度（ＲＳＳＩ）を用いて、ＢＬＥ通信エリア６内のデバイスの有無を監視してもよい。また、退場ＲＳＳＩエリア及び入場ＲＳＳＩエリアとみなすＢＬＥ通信の受信信号強度を、所望の受信信号強度に設定することで、ＢＬＥ通信エリア６の範囲内において、無線ＬＡＮに接続可能な範囲（入場ＲＳＳＩエリアの範囲）を動的に調整できる。
【００６２】
以上、無線ＬＡＮ通信エリア内にＢＬＥ通信エリアが無線ＬＡＮ通信エリアに包含されている例を示したが、例えば、図１３に示すように、ＢＬＥ通信エリアの少なくとも一部の領域が無線ＬＡＮ通信エリア外に位置する状態であってもよい。図１３において、無線ＬＡＮ通信回線を確立できるエリアは、ＢＬＥ通信エリア６’となる。無線ＬＡＮ通信エリア外のＢＬＥ通信エリア７では、ＢＬＥ通信により通信範囲情報を受信可能であるが、そもそも無線ＬＡＮ通信を行うためのセットアップができないためである。図１３に示すような状態は、例えば、無線ＬＡＮＡＰ部１６とＢＬＥ通信部１７が異なる位置に配置されている場合や、通信の指向性により通信可能範囲が一方向に突出しているような場合に考えられる。
【００６３】
（第１の実施の形態）
次に、このような基本構成を有する無線ＬＡＮ通信システムの第１の実施の形態を説明する。第１の実施の形態の無線ＬＡＮ通信システムは、無線ＬＡＮ通信のセットアップ情報を提供する範囲をＢＬＥ無線通信により制限し、無線ＬＡＮ通信の接続を維持する範囲を、音響信号により制限する。これにより、利用者は、ＢＬＥ無線通信範囲でセットアップ情報を得て無線ＬＡＮ通信回線を確立し、音響信号が届く範囲で無線ＬＡＮ通信を行う。このため、想定した範囲内に通信可能範囲を略々正確に制限して、無線ＬＡＮ通信システムのセキュリティの向上を図ることができる。
【００６４】
図１４は、第１の実施の形態の無線ＬＡＮ通信システムのシステム構成図である。この図１４に示す無線ＬＡＮ通信エリア５は、上述の通信範囲制限装置１の無線ＬＡＮＡＰ部１６により形成される通信エリアである。また、ＢＬＥ通信エリア６は、通信範囲制限装置１のＢＬＥ通信部１７により形成される通信エリアである。無線ＬＡＮ通信エリア５は、第１の通信エリアの一例となっている。また、ＢＬＥ通信エリア６は、第２の通信エリアの一例となっている。
【００６５】
なお、この例では、無線ＬＡＮＡＰ部１６及びＢＬＥ通信部１７は、通信範囲制限装置１にまとめて設けられていることとしたが、無線ＬＡＮＡＰ部１６及びＢＬＥ通信部１７は、物理的に異なるデバイスにそれぞれ設けてもよい。すなわち、第１の通信機器に設けられた無線ＬＡＮＡＰ部１６が無線ＬＡＮ通信エリア５を形成し、第２の通信機器に設けられたＢＬＥ通信部１７がＢＬＥ通信エリア６を形成してもよい。
【００６６】
また、音響通信エリア２５０ａ内にＢＬＥ通信エリア６が包含されることとしたが、ＢＬＥ通信エリア６内に音響通信エリア２５０ａが包含されていてもよい。また、ＢＬＥ通信エリア６及び各音響通信エリア２５０ａ、２５０ｂは、無線ＬＡＮ通信エリア５内において、それぞれ重なることなく、又は、多少重なりながら形成されていてもよい。
【００６７】
図１４に示すように無線ＬＡＮ通信エリア５内にＢＬＥ通信エリア６が形成された状態において、無線ＬＡＮ通信エリア５内且つＢＬＥ通信エリア６外に、音響信号送信装置２００ａが設けられている。音響信号送信装置２００ａは、無線ＬＡＮ通信エリア５内において、ＢＬＥ通信エリア６を包含する音響通信エリア２５０ａを形成する。
【００６８】
また、無線ＬＡＮ通信エリア５内且つＢＬＥ通信エリア６外且つ音響信号送信装置２００ａ外に、音響信号送信装置２００ｂが設けられている。音響信号送信装置２００ｂは、無線ＬＡＮ通信エリア５内において、ＢＬＥ通信エリア６外且つ音響通信エリア２５０ａ外の音響通信エリア２５０ｂを形成する。なお、図１４の例は、無線ＬＡＮ通信エリア５内に複数の音響通信エリア２５０ａ，２５０ｂが形成されている例であったが、無線ＬＡＮ通信エリア５内に一つのみ音響通信エリアを形成してもよい。
【００６９】
また、図１４の例は、ＢＬＥ通信エリア６内にスマートフォン２が位置しており、音響通信エリア２５０内にデバイス４００ｂ，４００ｃが位置しており、無線ＬＡＮ通信エリア５内ではあるが、各音響通信エリア２５０ａ，２５０ｂに含まれない位置にデバイス４００ｄが位置している例である。
【００７０】
図１５は、音響信号送信装置２００ａ及び音響信号送信装置２００ｂのハードウェア構成図である。図１５には、音響信号送信装置２００として図示している。この図１５に示すように音響信号送信装置２００は、ＣＰＵ１５１、ＲＯＭ１５２、ＲＡＭ１５３、インタフェース（Ｉ／Ｆ）１５４、スピーカ部１５５及び出力回路１５６を有している。ＲＯＭ１５２には、音声制御プログラムが記憶されている。また、ＲＡＭ１５３には、無線ＬＡＮ通信を許可する範囲を示すエリア情報が記憶されている。ＣＰＵ１５２は、音声制御プログラムを実行することで、無線ＬＡＮ通信エリア５内において、連続的又は定期的（断続的）に音響信号であるエリア情報を出力するように、出力回路１５６を制御する。
【００７１】
一例ではあるが、出力回路１５６は、ＡＳＫ（Amplitude  Shift  Keying）変調処理により生成したエリア情報を出力する。ＡＳＫ変調処理は、振幅の違いでデジタル信号の「１」又は「０」を表す処理である。出力回路１５６は、人間には聴取し難い、例えば１８ｋＨｚ〜２０ｋＨｚの周波数帯を複数の周波数帯毎に分割し、各周波数帯の音波をオンオフ制御することでエリア情報を生成し、スピーカ部１５５を介して出力する。
【００７２】
図１６は、図１４に示すスマートフォン２のＣＰＵ２１が、ＲＯＭ２２に記憶されている通信制御プログラム（図３参照）を実行することで実現される各機能に対応する機能ブロック図である。この図１６に示すように、ＣＰＵ２１は、上述の印刷依頼部８１、無線ＬＡＮ通信制御部８２、ＢＬＥ通信制御部８３と共に、ＢＬＥ情報取得部１６１、音響信号取得部１６２、比較部１６３、計時部１６４及び記憶制御部１６５を有している。なお、印刷依頼部８１〜ＢＬＥ通信制御部８３、及び、ＢＬＥ情報取得部１６１〜記憶制御部１６５のうち、全部又は一部をＩＣ（Integrated  Circuit）等のハードウェアで実現してもよい。
【００７３】
比較部１６３（比較部の一例）は、ＢＬＥ通信により取得した無線ＬＡＮ通信を許可する範囲を示すエリア情報（第１のエリア情報の一例）と、音響信号送信装置２００から音響信号として取得したエリア情報（第２のエリア情報の一例）とを比較し、両者が同様である場合に、自機が、無線ＬＡＮ通信が許可されている範囲に位置していると判別する。計時部１６４は、スマートフォン２が、それまでエリア情報を取得していた音響通信エリア外に移動することで、エリア情報が未検出となってから経過した時間を計時する。
【００７４】
記憶制御部１６５は、後述する周辺機器リスト（通信情報記憶部の一例）を、ＲＡＭ２３等の記憶部に記憶制御する。ＢＬＥ情報取得部１６１は、ＢＬＥ通信エリア６において、ＢＬＥ通信部１７からＢＬＥ通信で送信されるエリア情報及び無線ＬＡＮのセットアップ情報を取得する。音響信号取得部１６２は、音響通信エリア２５０ａ，２５０ｂにおいて、マイクロホン部２５（図３参照）を介して集音されたエリア情報を取得する。
【００７５】
ここで、スマートフォン２は、通信範囲制限装置１から送信された周辺機器リストで示される、現在、位置しているＢＬＥ通信エリア６内の各周辺機器との間で、ＢＬＥ通信又は無線ＬＡＮ通信（ＷｉＦｉ通信）が可能となっている。すなわち、通信範囲制限装置１は、無線ＬＡＮ通信を許可した各デバイスのＭＡＣ（Media  Access  Control）アドレス、ＩＰ（Internet  Protocol）アドレス、ブルートゥース（登録商標）アドレス、そのデバイスを操作するための操作情報及び現在、位置している音響通信エリア名（所属エリア名）を関連付けて記憶した周辺機器リストに基づいて管理している。
【００７６】
スマートフォン２は、通信範囲制限装置１との間のセットアップを完了すると、ＭＡＣアドレス及びＩＰアドレス等の自機の情報、現在、位置している音響通信エリア名等を、通信範囲制限装置１に送信する。通信範囲制限装置１は、スマートフォン２から受信したＭＡＣアドレス及びＩＰアドレス等を、スマートフォン２が、現在、位置している音響通信エリアに関連付けて周辺機器リストに追加する。
【００７７】
図１７の（ａ）及び（ｂ）の符号を付した図は、それぞれ周辺機器リストの一例である。このうち、図１７の（ａ）の符号を付した図は、更新前（デバイスが音響通信エリア内に移動する前）の周辺機器リストである。これに対して、図１７の（ｂ）の符号を付した図は、更新後の周辺機器リストである。例えば、デバイスＡ〜デバイスＣが位置している音響通信エリア内に、デバイスＤが移動した場合、図１７の（ｂ）の符号を付した図に示すように、デバイスＤの情報を追加した周辺機器リストに更新される。
【００７８】
次に、通信範囲制限装置１は、接続機器が追加された音響通信エリアである、現在、スマートフォン２が位置する音響通信エリア内の全てのデバイスに対して、追加されたスマートフォン２の情報を含む周辺機器リストを送信する。各デバイスは、通信範囲制限装置１から受信した周辺機器リストをＲＡＭ又はＨＤＤ等の記憶部に記憶する。図１６に示すスマートフォン２の記憶制御部１６５は、ＲＡＭ２３に対して、通信範囲制限装置１から受信した周辺機器リストを保存する。これにより、各デバイスは、現在、自機が位置している音響通信エリア内に位置する他のデバイスを認識することができる。
【００７９】
図１８は、各デバイスが記憶している周辺機器リストを示している。図１８の例の場合、スマートフォン２ａ、スマートフォン２ｂ及びスマートフォン２ｄは、それぞれ同じ音響通信エリアＸ（エリアＸ）に位置している。このため、スマートフォン２ａ、スマートフォン２ｂ及びスマートフォン２ｄのＲＡＭ２３ａ、ＲＡＭ２３ｂ及びＲＡＭ２３ｄには、それぞれ同じ周辺機器リストが保存される。
【００８０】
これに対して、スマートフォン２ｃは、スマートフォン２ａ、スマートフォン２ｂ及びスマートフォン２ｄとは異なる音響通信エリアＹ（エリアＹ）に位置している。そして、音響通信エリアＹには、現在、スマートフォン２ｃのみが位置している。このため、スマートフォン２ｃのＲＡＭ２３ｃには、スマートフォン２ｃのみの周辺機器リストが保存される。
【００８１】
同じ音響通信エリア内の各デバイスは、周辺機器リストで示されているＭＡＣアドレス、ＩＰアドレス、ブルートゥースアドレス等を用いて、所望のデバイスと通信する。通信範囲制限装置１から各デバイスに送信される周辺機器リストは、現在、自機が位置している音響通信エリア内に位置するデバイスに対応する周辺機器リストとなっており、他の音響通信エリアの周辺機器リストは送信されないようになっている。このため、各デバイス間の通信を、現在、自機が位置している音響通信エリア内に限定することができる。
【００８２】
なお、通信範囲制限装置１は、無線ＬＡＮ通信を切断処理したデバイスに対する情報は、周辺機器リストから削除することで、周辺機器リストを更新する。通信範囲制限装置１は、更新する毎に、更新した周辺機器リストを、対応する音響通信エリア内の各デバイスに送信する。各デバイスも、ＲＡＭ２３等に記憶されている周辺機器リストを更新する。
【００８３】
次に、図１９のシーケンス図を用いて、ＢＬＥ通信及び音響通信を用いた無線ＬＡＮのセットアップ動作を説明する。まず、スマートフォン２が、図１４に示すようにＢＬＥ通信エリア６内に移動すると、通信範囲制限装置１のＢＬＥ通信部１７及びスマートフォン２との間でＢＬＥ通信が行われる。そして、ＢＬＥ通信部１７からスマートフォン２に対して、無線ＬＡＮのセットアップ情報と、無線ＬＡＮ通信を許可する音響通信エリアを示すエリア情報が、ＢＬＥ通信により送信される（ステップＳ６１）。スマートフォン２のＢＬＥ情報取得部１６１（第１の取得部及び第３の取得部の一例）は、ＢＬＥ通信部１７から受信したセットアップ情報及びエリア情報を取得する。これにより、エリア情報の解析が開始される（ステップＳ６２）。
【００８４】
上述のように、音響信号送信装置２００は、無線ＬＡＮ通信を許可する音響通信エリアを示すエリア情報を送信している。スマートフォン２の音響信号取得部１６２（第２の取得部の一例）は、ステップＳ６３に示すように、音響信号送信装置２００から送信されるエリア情報を受信する。
【００８５】
ここで、音響通信エリアとしては、ＢＬＥ通信エリア６と略々一致する音響通信エリア及び、ＢＬＥ通信エリア６と一部が重なる音響通信エリアがある。また、図１４に示す音響通信エリア２５０ａのように、ＢＬＥ通信エリア６を包含する音響通信エリアと、音響通信エリア２５０ｂのように、ＢＬＥ通信エリア６を包含しない（離れている）音響通信エリアとがある。図１４の例の場合、スマートフォン２は、音響通信エリア２５０ａに包含されるＢＬＥ通信エリア６内に位置している。このような場合、スマートフォン２の音響信号取得部１６２は、ステップＳ６３において、音響信号送信装置２００ａから送信されるエリア情報を、ＢＬＥ通信エリア６内で受信する。
【００８６】
これに対して、音響通信エリア２５０ｂのように、ＢＬＥ通信エリア６から離れている場合、スマートフォン２のユーザは、ＢＬＥ通信エリア６でセットアップ情報及びエリア情報を受信した後に、音響通信エリア２５０ｂまで移動し、ステップＳ６３において、音響信号送信装置２００ｂから送信されるエリア情報を受信する。
【００８７】
次に、スマートフォン２の比較部１６３は、ＢＬＥ通信により取得した、無線ＬＡＮ通信を許可する音響通信エリアを示すエリア情報と、音響信号送信装置２００から取得した、現在、自機が位置する音響通信エリアを示すエリア情報とを比較処理する。この比較処理により、無線ＬＡＮ通信が許可される音響通信エリア内に、自機が位置しているものと判別した場合、スマートフォン２のＢＬＥ通信制御部８３は、ステップＳ６１で取得したセットアップ情報を用いて、通信範囲制限装置１のＢＬＥ通信部１７を介して、無線ＬＡＮＡＰ部１６にセットアップ指示を送信する。これにより、通信範囲制限装置１及びスマートフォン２の無線ＬＡＮ通信制御部８２（セットアップ部の一例）において、それぞれ無線ＬＡＮ通信回線のセットアップが行われる（ステップＳ６６、ステップＳ６７）。
【００８８】
このように第１の実施の形態の無線ＬＡＮ通信システムは、無線ＬＡＮ通信のセットアップ情報及び無線ＬＡＮ通信を許可する音響通信エリアを示すエリア情報の配布を、ＢＬＥ通信エリア６に制限し、無線ＬＡＮ通信を許可する範囲を、配布されたエリア情報で示される音響通信エリアに制限する。これにより、利用者は、ＢＬＥ無線通信範囲でセットアップ情報及びエリア情報を取得して無線ＬＡＮ通信回線を確立し、音響信号であるエリア情報が届く範囲内（音響通信エリア内）で無線ＬＡＮ通信を行う。このため、想定した範囲内に通信可能範囲を略々正確に制限することができ、通信セキュリティの向上を図ることができる。
【００８９】
次に、図２０のシーケンス図を用いて、無線ＬＡＮ通信が許可されている音響通信エリア外にスマートフォン２が移動することで、エリア情報が所定時間以上取得できなかった場合に、無線ＬＡＮ通信回線が切断される動作を説明する。例えば、音響通信エリア２５０ａに位置していたスマートフォン２が、音響通信エリア２５０ａ外に移動した場合、それまで受信できていた音響信号送信装置２００ａからのエリア情報の受信が、図２０に点線の矢印で示すように中断される。スマートフォン２の比較部１６３は、上述のようにＢＬＥ通信で取得したエリア情報と、音響信号送信装置２００から取得したエリア情報を比較することで、自機が、許可された音響通信エリア内に位置しているか否かを解析している（ステップＳ７１）。
【００９０】
スマートフォン２の計時部１６４は、音響信号送信装置２００からのエリア情報の検出が中断されてから連続して経過した時間を計時する。そして、無線ＬＡＮ通信制御部８２は、計時部１６４により、エリア情報の検出が中断されてから連続する所定時間の経過が計時された際に、無線ＬＡＮＡＰ部１６に対して、無線ＬＡＮ通信回線の切断指示を送信する（ステップＳ７２）。これにより、通信範囲制限装置１の無線ＬＡＮＡＰ部１６は、スマートフォン２との間に確立されていた無線ＬＡＮ通信回線を切断処理する（ステップＳ７３）。同様に、スマートフォン２の無線ＬＡＮ通信制御部８２も、通信範囲制限装置１との間に確立されていた無線ＬＡＮ通信回線を切断処理する（ステップＳ７４）。
【００９１】
次に、図２０の例は、音響信号送信装置２００からのエリア情報の受信が中断してから所定時間が経過した際に、無線ＬＡＮ通信回線を切断処理する例であった。これに対して、図２１の例は、音響信号送信装置２００からそれまで受信していたエリア情報が、異なる音響通信エリアを示すエリア情報となった場合に、スマートフォン２が異なる音響通信エリアに移動したものとして、無線ＬＡＮ通信回線を切断処理する例である。
【００９２】
すなわち、図１４に示す音響信号送信装置２００ａが形成する音響通信エリア２５０ａから、音響信号送信装置２００ｂが形成する音響通信エリア２５０ｂにスマートフォン２が移動した場合、図２１に点線の矢印で示すように、それまで受信していた音響信号送信装置２００ａからのエリア情報の受信が中断される。代って、スマートフォン２は、音響通信エリア２５０ｂの音響信号送信装置２００ｂから音響信号として送信されるエリア情報を受信する（ステップＳ８１）。
【００９３】
スマートフォン２の比較部１６３は、ＢＬＥ通信エリア６で受信したエリア情報と、音響信号送信装置２００から受信するエリア情報とを比較している（ステップＳ７１、ステップＳ８２）。スマートフォン２の無線ＬＡＮ通信制御部８２は、それまで受信していたエリア情報とは異なるエリア情報が受信されると、通信範囲制限装置１の無線ＬＡＮＡＰ部１６に切断指示を送信する（ステップＳ８３）。これにより、通信範囲制限装置１の無線ＬＡＮＡＰ部１６は、スマートフォン２との間に確立されていた無線ＬＡＮ通信回線を切断処理する（ステップＳ８４）。同様に、スマートフォン２の無線ＬＡＮ通信制御部８２（切断部の一例）も、通信範囲制限装置１との間に確立されていた無線ＬＡＮ通信回線を切断処理する（ステップＳ８５）。
【００９４】
次に、図２２に示すようにＢＬＥ通信エリア６と音響信号送信装置２００ａにより形成される音響通信エリア２５０ａとが重なっていない場合、スマートフォン２が、セットアップ情報を取得していないうちに、音響通信エリア２５０ａ内に移動しても、無線ＬＡＮ通信を行うことはできない（セットアップできない）。このため、音響通信エリア２５０ａ内に移動する前に、ＢＬＥ通信エリア６内に移動してセットアップ情報を取得する必要がある。しかし、スマートフォン２が、音響通信エリア２５０ａ内での無線ＬＡＮ通信を希望しているか不明であるにもかかわらず、例えば暗号通信等でセットアップ情報を配布すると通信コストがかかる。
【００９５】
このため、図２３のシーケンス図に示すように、無線ＬＡＮ通信が許可される音響通信エリア内に、スマートフォン２が位置している場合に、セットアップ情報を配布してもよい。この場合、スマートフォン２は、ステップＳ９１において、無線ＬＡＮ通信が許可される音響通信エリアを示すエリア情報を、ＢＬＥ通信部１７から取得する。スマートフォン２は、ステップＳ９２において、取得したエリア情報の解析を開始する。
【００９６】
次に、無線ＬＡＮ通信が許可されている音響通信エリア２５０ａ内にスマートフォン２が移動すると、音響信号送信装置２００ａからのエリア情報の受信が可能となる（ステップＳ９３）。スマートフォン２は、ＢＬＥ通信で受信したエリア情報と、音響信号送信装置２００ａから受信したエリア情報とを比較し（ステップＳ９４）、両者が同様であると判別した際に、ＢＬＥ通信により、ＢＬＥ通信部１７に対して無線ＬＡＮのセットアップ情報の取得要求を行う（ステップＳ９５）。
【００９７】
スマートフォン２は、ＢＬＥ通信部１７からセットアップ情報を取得すると（ステップＳ９６）、取得したセットアップ情報を用いて、無線ＬＡＮＡＰ部１６に対してセットアップ指示を行う。これにより、無線ＬＡＮＡＰ部１６は、スマートフォン２との間に無線ＬＡＮ通信回線を確立する（ステップＳ９８）。同様に、スマートフォン２も、通信範囲制限装置１との間に無線ＬＡＮ通信回線を確立する（ステップＳ９９）。
【００９８】
このように、無線ＬＡＮ通信が許可される音響通信エリアを示すエリア情報を、先にデバイスに配布し、無線ＬＡＮ通信が許可される音響通信エリアにデバイスが移動した際に、無線ＬＡＮのセットアップ情報を配布する。これにより、セットアップ情報を暗号通信で配布する等のコスト高な通信を不要とすることができ、安価に無線ＬＡＮ通信システムを運営可能とすることができる。
【００９９】
以上の説明から明らかなように、第１の実施の形態の無線ＬＡＮ通信システムは、無線ＬＡＮ通信のセットアップ情報及び無線ＬＡＮ通信を許可する音響通信エリアを示すエリア情報の配布を、ＢＬＥ通信エリア６に制限し、無線ＬＡＮ通信を許可する範囲を、配布されたエリア情報で示される音響通信エリアに制限する。これにより、利用者は、ＢＬＥ無線通信範囲でセットアップ情報及びエリア情報を得て無線ＬＡＮ通信回線を確立し、音響信号であるエリア情報が届く範囲（音響通信エリア）で無線ＬＡＮ通信を行う。このため、想定した範囲内に通信可能範囲を略々正確に制限することができ、第１の実施の形態の無線ＬＡＮ通信システムのセキュリティを向上させることができる。
【０１００】
（第２の実施の形態）
次に、第２の実施の形態の無線ＬＡＮ通信システムの説明をする。上述の第１の実施の形態の場合、図２１のステップＳ８３で説明したように、スマートフォン２の無線ＬＡＮ通信制御部８２は、それまで受信していたエリア情報とは異なるエリア情報が受信されると、通信範囲制限装置１の無線ＬＡＮＡＰ部１６に切断指示を送信することで、無線ＬＡＮ通信回線を即座に切断処理するものであった。
【０１０１】
これに対して、第２の実施の形態の無線ＬＡＮ通信システムは、スマートフォン２等のデバイスが、無線ＬＡＮ通信回線の確立後に、先に受信していたエリア情報とは異なるエリア情報を受信した場合でも、所定時間（接続維持時間）内に、先に受信していたエリア情報を受信できた場合は、無線ＬＡＮ通信回線を維持するものである。なお、上述の第１の実施の形態と以下に説明する第２の実施の形態とでは、この点のみが異なる。このため、以下、両者の差異のみ説明し、重複説明を省略する。
【０１０２】
図２４は、第２の実施の形態の無線ＬＡＮ通信システムの無線ＬＡＮ通信回線の切断処理の流れを示すシーケンス図である。この図２４において、スマートフォン２は、まず、第１の音響信号送信装置２００ａから送信されたエリア情報が、ＢＬＥ通信により取得したエリア情報で示される無線ＬＡＮ通信が許可される音響通信エリアであった場合、上述のように確立された無線ＬＡＮ通信回線を維持する（ステップＳ１０１〜ステップＳ１０３）。
【０１０３】
スマートフォン２の図１６に示す計時部１６４は、一例として無線ＬＡＮ通信回線を確立した時刻から所定時間となる接続維持時間のカウントを開始する。この接続維持時間は、確立されている無線ＬＡＮ通信回線を維持する時間である。上述の周辺機器リストには、無線ＬＡＮ通信回線を確立したデバイス毎に、ＢＬＥ通信部１７から受信したエリア情報、及び、音響信号送信装置２００から受信した音響信号のエリア情報が、それぞれ関連付けられて記憶されている。
【０１０４】
比較部１６３は、接続維持時間内において、音響信号取得部１６２で取得される第１の音響信号送信装置２００ａからのエリア情報と、周辺機器リストに記憶されている、音響信号送信装置２００からのエリア情報とを比較する。無線ＬＡＮ通信制御部８２は、音響信号取得部１６２で取得される第１の音響信号送信装置２００ａからのエリア情報と、周辺機器リストに記憶されている、音響信号送信装置２００からのエリア情報とが同様であることを示す比較結果が、接続維持時間内に得られた場合、確立されている無線ＬＡＮ通信回線を、接続維持時間の間、維持する。
【０１０５】
ここで、スマートフォン２が移動することで、ステップＳ１０４に示すように、第２の音響信号送信装置２００ｂから送信されるエリア情報の受信も可能となったものとする。この場合でも、比較部１６３は、ステップＳ１０５に示すように接続維持時間内において、上述の各エリア情報を比較する動作を行う。そして、ステップＳ１０６に示すように、引き続き、第１の音響信号送信装置２００ａからのエリア情報が受信できていることを示す比較結果が得られた場合、無線ＬＡＮ通信制御部８２は、確立されている無線ＬＡＮ通信回線を維持する（ステップＳ１０７）。計時部１６４は、無線ＬＡＮ通信回線の維持が確定すると、接続維持時間のカウント値をリセットし、再度、接続維持時間のカウントを開始する（ステップＳ１０７）。
【０１０６】
次に、スマートフォン２が、さらに移動することで、ステップＳ１０８に示す第２の音響信号送信装置２００ｂからのエリア情報のみが受信され、第１の音響信号送信装置２００ａからのエリア情報が接続維持時間内に受信できなくなった場合、比較部１６３は、周辺機器リストに記憶されている、第１の音響信号送信装置２００ａから受信したエリア情報、及び、第２の音響信号送信装置２００ｂからのエリア情報を比較することとなり、両者が同様ではないことを示す比較結果を出力する（ステップＳ１０９）。
【０１０７】
また、比較部１６３は、接続維持時間内においては、無線ＬＡＮ通信回線を確立する際に用いた第１の音響信号送信装置２００ａからのエリア情報の受信の有無の判別を継続して行う。無線ＬＡＮ通信制御部８２は、第１の音響信号送信装置２００ａから受信したエリア情報、及び、第２の音響信号送信装置２００ｂからのエリア情報が同様ではないことを示す比較結果を得た場合、接続維持時間内に、第１の音響信号送信装置２００ａからのエリア情報を受信しないことを示す比較結果が得られるのを待って、無線ＬＡＮＡＰ部１６に無線ＬＡＮ通信回線の切断指示を行い（ステップＳ１１０）、確立している無線ＬＡＮ通信回線を切断処理する（ステップＳ１１１）。また、無線ＬＡＮＡＰ部１６は、スマートフォン２との間に確立している無線ＬＡＮ通信回線を切断処理する（ステップＳ１１２）。
【０１０８】
このように、第２の実施の形態の無線ＬＡＮ通信システムは、無線ＬＡＮ通信回線の確立中に、複数の音響信号送信装置からのエリア情報が受信可能となった場合、接続維持時間内に、先に受信したエリア情報を受信できるか否かを判別する。そして、接続維持時間内に、先に受信したエリア情報を受信できなくなった場合に、確立されている無線ＬＡＮ通信回線を切断処理する。
【０１０９】
これにより、スマートフォン２が、無線ＬＡＮ通信回線を確立した際に用いた音響信号送信装置からのエリア情報で許可される範囲内に位置している間は、無線ＬＡＮ通信回線の確立を維持でき、範囲外に移動した際に、無線ＬＡＮ通信回線を切断できる。このため、既に接続済みの無線ＬＡＮ通信回線を有効に利用して、無駄な切断動作及び再接続動作等を不要とすることができる他、上述の第１の実施の形態と同様の効果を得ることができる。
【０１１０】
（第３の実施の形態）
次に、第３の実施の形態の無線ＬＡＮ通信システムの説明をする。この第３の実施の形態の無線ＬＡＮ通信システムは、上述の第２の実施の形態のように、複数の音響信号送信装置からのエリア情報が受信可能となった場合に、上述の接続維持時間内において、各エリア情報の音圧を比較する。そして、先に受信したエリア情報の音圧が、後から受信したエリア情報の音圧よりも低い場合に、先に受信したエリア情報に基づいて確立した無線ＬＡＮ通信回線を切断処理するものである。なお、上述の各実施の形態と以下に説明する第３の実施の形態とでは、この点のみが異なる。このため、以下、両者の差異のみ説明し、重複説明を省略する。
【０１１１】
図２５は、第３の実施の形態の無線ＬＡＮ通信システムの無線ＬＡＮ通信回線の切断処理の流れを示すシーケンス図である。この図２４において、無線ＬＡＮ通信回線が確立されると、スマートフォン２の音響信号取得部１６２において、ステップＳ１２２に示すように、第１の音響信号送信装置２００ａ及び他の音響信号送信装置から送信されるエリア情報の解析が可能となる（ステップＳ１２１）。音響信号取得部１６２は、ステップＳ１２３において、第１の音響信号送信装置２００ａからのエリア情報の受信の有無を確認する。また、音響信号取得部１６２は、ステップＳ１２３において、第１の音響信号送信装置２００ａからのエリア情報を受信した場合、受信したエリア情報の音圧を示す音圧情報をＲＡＭ２３等の記憶部に記憶する。また、計時部１６４は、一例として、第１の音響信号送信装置２００ａからのエリア情報の受信が確認されたタイミングで、接続維持時間のカウントを開始する。
【０１１２】
次に、この状態で、スマートフォン２が移動することで、ステップＳ１２４に示すように、第２の音響信号送信装置２００ｂから送信されるエリア情報の受信も可能となった場合、音響信号取得部１６２は、受信した第２の音響信号送信装置２００ｂからのエリア情報の音圧情報をＲＡＭ２３等の記憶部に記憶する（ステップＳ１２５）。
【０１１３】
次に、比較部１６３は、ＲＡＭ２３に記憶した第１の音響信号送信装置２００ａからのエリア情報の音圧情報、及び、第２の音響信号送信装置２００ｂからのエリア情報の音圧情報を比較する（ステップＳ１２６）。なお、比較を行う「音圧」としては、フーリエ変換後の振幅、パワースペクトル、音圧（パスカル）、音圧レベル（dB）の他、所定の期間の間のピーク値又は時間平均値を用いることができる。
【０１１４】
スマートフォン２の無線ＬＡＮ通信制御部８２は、第１の音響信号送信装置２００ａからのエリア情報の音圧の方が高いことを示す比較結果が得られた場合、無線ＬＡＮ通信回線を維持する。これに対して、無線ＬＡＮ通信制御部８２は、第１の音響信号送信装置２００ａからのエリア情報の音圧の方が低いことを示す比較結果が得られた場合、無線ＬＡＮＡＰ部１６に対して、無線ＬＡＮ通信回線の切断指示を行う（ステップＳ１２７）。これにより、ステップＳ１２８及びステップＳ１２９に示すように、スマートフォン２及び無線ＬＡＮＡＰ部１６が、それぞれ確立していた無線ＬＡＮ通信回線を切断処理する。
【０１１５】
なお、このような音圧の比較処理は、無線ＬＡＮ通信回線の接続維持時間の間に行われる。そして、接続維持時間内に、無線ＬＡＮ通信回線を確立する際に用いた、第１の音響信号送信装置２００ａからのエリア情報を受信できない場合には、無線ＬＡＮ通信回線が切断されることは、上述のとおりである。
【０１１６】
また、この例の場合、第１の音響信号送信装置２００ａからのエリア情報の音圧の方が低いことを示す比較結果が得られた場合、接続維持時間内であっても無線ＬＡＮ通信回線を切断処理することとした。しかし、第１の音響信号送信装置２００ａからのエリア情報の音圧の方が低いことを示す比較結果が得られた場合、上述の第２の実施の形態と同様に、第１の音響信号送信装置２００ａからのエリア情報が、接続維持時間内に得られない場合に、接続維持時間の経過を待って、無線ＬＡＮ通信回線を切断処理してもよい。
【０１１７】
このように、第３の実施の形態の無線ＬＡＮ通信システムは、複数のエリア情報が検出された場合に、第１の音響信号送信装置２００ａ及び第２の音響信号送信装置２００ｂの各エリア情報の音圧情報を比較する。そして、第１の音響信号送信装置２００ａからのエリア情報の音圧が、第２の音響信号送信装置２００ｂからのエリア情報の音圧よりも高い音圧である場合は、第１の音響信号送信装置２００ａからのエリア情報に基づいて確立した無線ＬＡＮ通信回線を維持する。これに対して、第３の実施の形態の無線ＬＡＮ通信システムは、第１の音響信号送信装置２００ａからのエリア情報の音圧が、第２の音響信号送信装置２００ｂからのエリア情報の音圧よりも低い音圧である場合は、無線ＬＡＮ通信回線を切断処理する。
【０１１８】
これにより、スマートフォン２が、無線ＬＡＮ通信を確立した音響通信エリアから他の音響通信エリアに移動した場合には、確立されている無線ＬＡＮ通信回線を切断することができ、無線ＬＡＮ通信システムの通信セキュリティを維持できる他、上述の各実施の形態と同様の効果を得ることができる。
【０１１９】
（第４の実施の形態）
次に、第４の実施の形態の無線ＬＡＮ通信システムの説明をする。この第４の実施の形態の無線ＬＡＮ通信システムは、音響信号送信装置２００から音響信号として送信されているエリア情報、及び、ＢＬＥ通信部１７からＢＬＥ送信されているエリア情報を、一定時間毎又は任意のタイミングで変更するものである。なお、上述の各実施の形態と以下に説明する第４の実施の形態とでは、この点のみが異なる。このため、以下、両者の差異のみ説明し、重複説明を省略する。
【０１２０】
すなわち、この第４の実施の形態の無線ＬＡＮ通信システムの場合、音響信号送信装置２００、及び、ＢＬＥ通信部１７は、一定時間毎又は任意のタイミングで変更する。音響信号送信装置２００により変更されたエリア情報は、スマートフォン２のマイクロホン部２５を介して音響信号取得部１６２により取得される。
【０１２１】
これに対して、ＢＬＥ通信部１７は、無線ＬＡＮ通信機能も備えており、変更したエリア情報を、無線ＬＡＮ通信で無線ＬＡＮＡＰ部１６に送信する。無線ＬＡＮＡＰ部１６は、ＢＬＥ通信部１７から受信した、変更されたエリア情報を、無線ＬＡＮ通信でスマートフォン２に送信する。スマートフォン２は、無線ＬＡＮ通信部３１及び無線ＬＡＮ通信制御部８２を介して、ＢＬＥ通信部１７からの、変更されたエリア情報を取得し、ＲＡＭ２３等の記憶部に記憶する。これにより、エリア情報の解析が可能となる。
【０１２２】
次に、比較部１６３は、上述の接続維持時間内において、現在、マイクロホン部２５を介して音響信号取得部１６２により取得されている変更済みのエリア情報と、ＢＬＥ通信部１７から無線ＬＡＮ通信で通知された変更済みのエリア情報とを比較する。無線ＬＡＮ通信制御部８２は、両者が同様であることを示す比較結果が、接続維持時間内に得られた場合、確立されている無線ＬＡＮ通信回線を維持する。
【０１２３】
これに対して、無線ＬＡＮ通信制御部８２は、両者が同様ではないことを示す比較結果が、接続維持時間内に得られた場合、上述の第２の実施の形態と同様に、接続維持時間の経過を待って、無線ＬＡＮＡＰ部１６に対して、確立されている無線ＬＡＮ通信回線の切断指示を行い、確立している無線ＬＡＮ通信回線を切断処理する。また、無線ＬＡＮＡＰ部１６も、スマートフォン２との間に確立している無線ＬＡＮ通信回線を切断処理する。
【０１２４】
変更したエリア情報が同様ではないということは、スマートフォン２が他の音響エリアに移動し、又は、不正に入手したエリア情報で無線ＬＡＮ通信回線が確立されていたことを意味する。このため、変更後のエリア情報が同様ではない場合は、確立されている無線ＬＡＮ通信回線を切断処理することで、通信セキュリティを、さらに向上させることができる他、上述の各実施の形態と同じ効果を得ることができる。
【０１２５】
（第５の実施の形態）
次に、第５の実施の形態の無線ＬＡＮ通信システムの説明をする。上述の各実施の形態は、ＢＬＥ通信部１７は、スマートフォン２等のデバイスとの間で、ＢＬＥ通信が可能となった際に、エリア情報及びセットアップ情報をデバイスに送信するものであった。これに対して、第５の実施の形態の無線ＬＡＮ通信システムは、ＢＬＥ通信部１７が、スマートフォン２が現在位置している音響通信エリアのエリア情報を取得する。そして、ＢＬＥ通信部１７は、ＢＬＥ通信で配布しているエリア情報と、デバイスから取得したエリア情報とが同様である場合に、セットアップ情報をデバイスに配布するものである。なお、上述の各実施の形態と以下に説明する第４の実施の形態とでは、この点のみが異なる。このため、以下、両者の差異のみ説明し、重複説明を省略する。
【０１２６】
図２６は、第５の実施の形態の無線ＬＡＮ通信システムの無線ＬＡＮ通信回線のセットアップ処理の流れを示すシーケンス図である。この図２６において、スマートフォン２のＢＬＥ情報取得部１６１は、ステップＳ１３１において、ＢＬＥ通信部１７からＢＬＥ通信により、無線ＬＡＮ通信回線の使用を許可する音響通信エリアを示すエリア情報を受信する。記憶制御部１６５は、受信したエリア情報を、ステップＳ１３２において、ＲＡＭ３２等の記憶部に記憶部する。
【０１２７】
また、スマートフォン２は、ステップＳ１３３において、音響信号送信装置２００からの送信されている、無線ＬＡＮ通信回線の使用を許可する音響通信エリアを示すエリア情報を受信する。記憶制御部１６５は、受信したエリア情報をＲＡＭ３２等の記憶部に記憶部する。
【０１２８】
次に、スマートフォン２の比較部１６３は、ステップＳ１３４において、ＢＬＥ通信により受信したエリア情報と、音響信号により受信したエリア情報とを比較する。スマートフォン２が、指定の音響通信エリア内に位置している場合は、この比較処理により、両方のエリア情報が同様であることを示す比較結果が得られる。これに対して、スマートフォン２が、指定の音響通信エリア外に位置している場合、及び、不正に取得されたエリア情報が用いられている場合は、この比較処理により、両方のエリア情報は、同様ではないことを示す比較結果が得られる。
【０１２９】
スマートフォン２のＢＬＥ通信制御部８３（返信部の一例）は、両者が同様の通信エリアであることを示す比較結果が得られた場合に、ＢＬＥ通信により受信したエリア情報を、ＢＬＥ通信によりＢＬＥ通信部１７（通信機器の一例）に返信する（ステップＳ１３５）。ＢＬＥ通信部１７は、自機からスマートフォン２等に送信しているエリア情報と、スマートフォン２から返信されたエリア情報とを比較する（ステップＳ１３６）。
【０１３０】
自機から送信しているエリア情報と、スマートフォン２から返信されたエリア情報とが同様であることを示す比較結果が得られるということは、スマートフォン２は、指定した音響通信エリア内に位置し、かつ、ＢＬＥ通信部１７から送信された正規のエリア情報を保持していることを意味している。このため、ＢＬＥ通信部１７は、自機から送信しているエリア情報と、スマートフォン２から返信されたエリア情報とが同様であることを示す比較結果が得られた場合に、スマートフォン２に対して無線ＬＡＮ通信回線のセットアップ情報をＢＬＥ通信により送信する（ステップＳ１３７）。
【０１３１】
スマートフォン２は、このセットアップ情報を用いて無線ＬＡＮＡＰ部１６に対してセットアップ指示を行う（ステップＳ１３８）。これにより、スマートフォン２及び無線ＬＡＮＡＰ部１６で、無線ＬＡＮ通信回線のセットアップ処理が行われる（ステップＳ１３９、ステップＳ１４０）。
【０１３２】
このように、スマートフォン２が、指定の音響通信エリア内に位置していることを確認したうえで、無線ＬＡＮ通信回線のセットアップ情報をスマートフォン２に配布することにより、通信セキュリティをさらに向上させることができる他、上述の各実施の形態と同じ効果を得ることができる。
【０１３３】
上述の各実施の形態は、例として提示したものであり、本発明の範囲を限定することは意図していない。この新規な各実施の形態は、その他の様々な形態で実施されることが可能である。また、発明の要旨を逸脱しない範囲で、種々の省略、置き換え、変更を行うことも可能である。各実施の形態及び各実施の形態の変形は、発明の範囲や要旨に含まれると共に、特許請求の範囲に記載された発明とその均等の範囲に含まれる。
【符号の説明】
【０１３４】
１  通信範囲制限装置
２  スマートフォン
３  プリンタ装置
４  プロジェクタ装置
５  無線ＬＡＮ通信エリア
６  ＢＬＥ通信エリア
６’  ＢＬＥ通信エリア
７  無線ＬＡＮ通信不可エリア
１５  入出力Ｉ／Ｆ
１６  無線ＬＡＮＡＰ部
１７  ＢＬＥ通信部
３１  無線ＬＡＮ通信部
３２  ＢＬＥ通信部
４７  無線ＬＡＮ通信部
４８  ＢＬＥ通信部
７５  デバイス接続部
７６  周辺機器接続部
７７  離脱検知部
７８  無線ＬＡＮＡＰ制御部
７９  ＢＬＥ通信制御部
８１  印刷依頼部
８２  無線ＬＡＮ通信制御部
８３  ＢＬＥ通信制御部
８５  印刷部
８６  無線ＬＡＮ通信制御部
８７  ＢＬＥ通信制御部
１５１  ＣＰＵ
１５２  ＲＯＭ
１５３  ＲＡＭ
１５４  インタフェース（Ｉ／Ｆ）
１５５  スピーカ部
１５６  出力回路
１６１  ＢＬＥ情報取得部
１６２  音響信号取得部
１６３  比較部
１６４  計時部
１６５  記憶制御部
２００ａ  音響信号送信装置
２００ｂ  音響信号送信装置
２５０ａ  音響通信エリア
２５０ｂ  音響通信エリア
【先行技術文献】
【特許文献】
【０１３５】
【特許文献１】特開２０１２−０９５２７０号公報
【図１】
0006753153.tif 000002
【図２】
0006753153.tif 000003
【図３】
0006753153.tif 000004
【図４】
0006753153.tif 000005
【図５】
0006753153.tif 000006
【図６】
0006753153.tif 000007
【図７】
0006753153.tif 000008
【図８】
0006753153.tif 000009
【図９】
0006753153.tif 000010
【図１０】
0006753153.tif 000011
【図１１】
0006753153.tif 000012
【図１２】
0006753153.tif 000013
【図１３】
0006753153.tif 000014
【図１４】
0006753153.tif 000015
【図１５】
0006753153.tif 000016
【図１６】
0006753153.tif 000017
【図１７】
0006753153.tif 000018
【図１８】
0006753153.tif 000019
【図１９】
0006753153.tif 000020
【図２０】
0006753153.tif 000021
【図２１】
0006753153.tif 000022
【図２２】
0006753153.tif 000023
【図２３】
0006753153.tif 000024
【図２４】
0006753153.tif 000025
【図２５】
0006753153.tif 000026
【図２６】
0006753153.tif 000027